(57)【特許請求の範囲】
【請求項１】
スキャナのスキャニング方向に沿った一端部と他端部とが取り付けられるスキャナ取付部と、
スキャナの前記一端部を前記スキャナ取付部に固定するスキャナ固定手段と、
スキャナの前記他端部を、前記スキャナ取付部に前記スキャニング方向に沿って移動可能に取り付けるスキャナ取付手段と
を備えてなることを特徴とする支持台。
【請求項２】
前記スキャナ固定手段および前記スキャナ取付手段は、前記スキャナ取付部の下方からスキャナを固定し、または取り付ける請求項１に記載の支持台。
【請求項３】
前記スキャナ固定手段および前記スキャナ取付手段は、前記スキャナ取付部の側方からスキャナを固定し、または取り付ける請求項１に記載の支持台。
【請求項４】
前記スキャナ取付手段は、前記スキャナの下面に設けられ、前記スキャニング方向、または前記スキャニング方向とは反対の方向に沿って延在する引掛け部材が挿入される挿入孔を備え、
前記挿入孔は、前記引掛け部材が前記スキャニング方向または前記スキャニング方向とは反対の方向に沿って相対移動可能に形成されてなる
請求項１に記載の支持台。
【請求項５】
請求項１〜４の何れか１項に記載の支持台と、
スキャニング方向に沿った一端部が、前記支持台の備えるスキャナ固定手段によって前記支持台の備えるスキャナ取付部に固定され、スキャニング方向に沿った他端部が、前記支持台の備えるスキャナ取付手段によって前記スキャニング方向に沿って移動可能にスキャナ取付部に取り付けられてなるスキャナと
を備えてなることを特徴とするスキャナ装置。
【請求項６】
前記スキャナにおいて前記スキャナ固定手段によって前記スキャナ取付部に固定された側の端部は、スキャニングが開始されるスキャニング開始側の端部であり、前記スキャナ取付手段によって前記スキャナ取付部に取り付けられた側の端部は、スキャニングが終了するスキャニング終了側の端部である請求項５に記載のスキャナ装置。
【請求項７】
前記スキャナは、原稿を一定方向に送る原稿送り手段と前記原稿送り手段で送られる原稿の画像を読み取る原稿読取手段とを備え、前記原稿送り手段は前記一端部に設けられてなる請求項５に記載のスキャナ装置。
【請求項８】
前記スキャナは、画像を読み取るべき原稿を載置する原稿台を有し、前記原稿台に載置された原稿の画像を読み取るときは、前記原稿読取手段は、スキャナ開始位置からスキャナ終了位置に向かって移動しつつ、画像を読み取る請求項７に記載のスキャナ装置。
【請求項９】
前記原稿読取手段は光学部品を有するとともに、前記原稿読取手段がスキャナ開始位置からスキャナ終了位置に向かって移動するためのレールが前記スキャナの移動方向に沿って延在するとともに、前記スキャナの本体と一体的に設けられた樹脂からなる請求項８に記載のスキャナ装置。
【請求項１０】
前記レールは、前記スキャナの本体と樹脂により一体成形されてなる請求項９に記載のスキャナ装置。
【請求項１１】
前記レールは、前記原稿読取手段のスキャニング方向と直交する両端部に設けられ、前記レールの一方側は前記スキャナの本体に両端部が支持された金属製の円柱体からなり、前記レールの他方側は前記スキャナの本体に一体的に設けられた樹脂からなる請求項９に記載のスキャナ装置。
【請求項１２】
前記原稿読取手段は、前記一方側に当該読取手段をスキャニング方向およびスキャニング方向とは反対の方向に移動させる移動手段が設けられ、前記他方側に前記樹脂からなるレール上を回転する回転体が設けられている請求項１１に記載のスキャナ装置。
【請求項１３】
請求項５〜１２の何れか１項に記載のスキャナ装置と、
前記スキャナ装置の備えるスキャナからの画像信号に基づいて画像を形成する画像形成部と
を備えてなることを特徴とする画像記録装置。
【請求項１４】
前記画像形成部は電子写真式プリンタである請求項１３に記載の画像記録装置。
【請求項１５】
前記画像形成部はインクジェット式プリンタである請求項１３に記載の画像記録装置。
【発明の詳細な説明】
【技術分野】
【０００１】
本発明は、支持台、スキャナ装置、および画像記録装置に係り、特に、スキャナが、熱膨張によってスキャニング方向に変形するのを防止できる支持台、スキャナ装置、および画像記録装置に関する。
【背景技術】
【０００２】
デジタル複写機やデジタルファクシミリなどのデジタル画像記録装置は、通常、原稿の画像を読み取って画像信号に変換するスキャナと、スキャナからの画像信号に基づいて記録用紙などの記録媒体に画像を形成する電子写真式のプリンタと、前記スキャナおよびプリンタが取り付けられるラックとを備える。
【０００３】
前記デジタル画像記録装置においては、ラックは、スキャナが取り付けられるスキャナ載置台とプリンタが取り付けられるプリンタ載置台とを備える。そして、通常は、スキャナがプリンタの上方に取り付けられるように、スキャナ載置台がプリンタ載置台の上方に位置する。そして、オペレータの操作の便を考慮し、プリンタで画像が記録された記録用紙が排出される排紙トレイが、スキャナとプリンタとの間の部分、具体的にはプリンタの上面に設けられている。
【０００４】
近年、軽量化の趣旨から、スキャナの筐体とフレームとを樹脂で一体成型することが一般的に行われている。
【０００５】
しかしながら、スキャナは、長時間の使用によって発熱するので、筐体およびフレームが熱膨張する。したがって、スキャナをただ単にラックに固定すると、熱膨張によってスキャナのフレームが歪み、画像が正しくスキャニングできなくなるという問題がある。
【０００６】
そこで、スキャナの熱膨張を吸収できるスキャナの取付け方法として、
画像読取手段（スキャナ）を画像処理装置（プリンタ）に対して保持する保持手段を、画像読取手段に着脱自在に取り付け、保持手段を画像処理装置に対して固定する方法（特許文献１）、
スキャナユニット９を、溶接構造体のステー上に固定すること（特許文献２）、
天板の上にスキャナ部を載せて位置決めし、空間部である排紙収納部２３の装置本体前面あるいは開放した側面を利用して天板の下面から螺子孔に螺子をいれ、螺子を天板の上面側に貫通させ、スキャナ部下面の螺子孔に捻り込み、スキャナ部を固定する方法（特許文献３）
などが提案された。
【特許文献１】特開平１０−３２７２７５号公報
【特許文献２】特開平１１−２５８８８５号公報
【特許文献３】特開平１１−１６４０７６号公報
【発明の開示】
【発明が解決しようとする課題】
【０００７】
しかしながら、特許文献１に記載の取付け方法には、前記保持手段が画像処理装置に対して着脱構成となる故に剛性を確保することが難しいという問題がある。また、特許文献２には、スキャナユニットをステーにどのように取り付けるのかについての明確な記載がない。また、特許文献３に記載の取付け方法は、スキャナを下方から天板に螺子止めしている故に作業性が悪いうえ、スキャナを天板に強固に固定できない故に、スキャナの剛性が低い場合、スキャナの振動を抑制できないことがあるという問題がある。
【０００８】
本発明は、上記問題を解決すべく成されたものであり、スキャナの熱膨張を吸収でき、熱膨張によるスキャナのスキャニング方向における変形を防止できる支持台、前記支持台にスキャナを載置したスキャナ装置、および前記スキャナ装置に画像形成部を組み合わせた画像記録装置の提供を目的とする。
【課題を解決するための手段】
【０００９】
請求項１に記載の発明は、スキャナのスキャニング方向に沿った一端部と他端部とが取り付けられるスキャナ取付部と、スキャナの前記一端部を前記スキャナ取付部に固定するスキャナ固定手段と、スキャナの前記他端部を、前記スキャナ取付部に前記スキャニング方向に沿って移動可能に取り付けるスキャナ取付手段とを備えてなることを特徴とする支持台に関する。
【００１０】
前記支持台は、スキャナのスキャニング方向に沿った一端部をスキャナ固定手段でスキャナ取付部に固定させ、スキャニング方向に沿った他端部をスキャナ取付手段によって移動可能に支持させる。
【００１１】
したがって、前記支持台は、スキャナの筐体またはフレームの変形によるスキャナの振動、および／またはスキャナの正規のスキャニング方向から外れた湾曲したスキャニングを抑制させることができる。
【００１２】
すなわち、スキャナが熱膨張した場合においても、スキャニング方向の伸びがスキャナ取付手段によって吸収されるから、スキャナが反ったり歪んだりするなどして画像が正しくスキャニングできなくなるという問題が抑制される。
【００１３】
請求項２に記載の発明は、前記スキャナ固定手段および前記スキャナ取付手段が、前記スキャナ取付部の下方からスキャナを固定し、または取り付ける請求項１に記載の支持台に関する。
【００１４】
前記支持台においては、スキャナ固定手段およびスキャナ取付手段の何れにおいてもスキャナを下方からスキャナ取付部に固定し、または取り付けているから、スキャナを上下方向のガタ付きなく支持台に取り付けることができる。
【００１５】
請求項３に記載の発明は、前記スキャナ固定手段および前記スキャナ取付手段が、前記スキャナ取付部の側方からスキャナを固定し、または取り付ける請求項１に記載の支持台に関する。
【００１６】
前記支持台においては、側方からスキャナを取り付けられるから作業性が良好である。
【００１７】
請求項４に記載の発明は、前記スキャナ取付手段は、前記スキャナの下面に設けられ、前記スキャニング方向、または前記スキャニング方向とは反対の方向に沿って延在する引掛け部材と、前記スキャナ取付部に形成され、前記引掛け部材が挿入される挿入孔を備え、前記挿入孔は、前記引掛け部材が前記スキャニング方向または前記スキャニング方向とは反対の方向に沿って相対移動可能に形成されてなる請求項１に記載の支持台に関する。
【００１８】
前記支持台においては、前記スキャナの他端部に設けられた前記引掛け部材が前記挿入孔に挿入されて前記スキャナ取付部に引掛けられることによって保持させる。
【００１９】
しかも、前記挿入孔は、前記引掛け部材が前記スキャニング方向に沿って前記スキャナ取付部に対して相対移動可能に形成されているから、スキャナが熱膨張によってスキャニング方向に伸びても、前記伸びは、前記引掛け部材が前記挿入孔に挿入された状態で前記スキャナ取付部に対して相対移動することにより吸収される。
【００２０】
更に、スキャナの他端部をスキャナ取付部に取り付けるのに螺子などの特別な部材は不要である。
【００２１】
請求項５に記載の発明は、請求項１〜４の何れか１項に記載の支持台と、スキャニング方向に沿った一端部が、前記支持台の備えるスキャナ固定手段によって前記支持台の備えるスキャナ取付部に固定され、スキャニング方向に沿った一端部が、前記支持台の備えるスキャナ取付手段によって前記スキャニング方向に沿って移動可能にスキャナ取付部に取り付けられてなるスキャナとを備えてなることを特徴とするスキャナ装置に関する。
【００２２】
前記スキャナ装置においては、スキャナが使用時の熱で熱膨張しても、スキャニング方向の伸びはスキャナ取付手段においてスキャナとスキャナ取付部とが相対移動することにより吸収される。
【００２３】
したがって、スキャナの筐体やフレームがプラスチックのように熱膨張率の大きな材料で形成されている場合においても、熱膨張によってスキャナが反ったり歪んだりするなどして画像を正確に読み取れなくなることが抑制される。
【００２４】
また、スキャナは、一端部においてスキャナ固定手段によってスキャナ取付部に固定されるから、十分な剛性で支持台に固定されるから、スキャナ自体の剛性が低い場合においても、スキャナの振動を抑制できる。
【００２５】
請求項６に記載の発明は、前記スキャナにおいて前記スキャナ固定手段によって前記スキャナ取付部に固定された側の端部は、スキャニングが開始されるスキャニング開始側の端部であり、前記スキャナ取付手段によって前記スキャナ取付部に取り付けられた側の端部は、スキャニングが終了するスキャニング終了側の端部である請求項５に記載のスキャナ装置に関する。
【００２６】
前記スキャナ装置においては、スキャナは、スキャナ取付部に、スキャニング開始側の端部において固定され、スキャニング終了側の端部においてスキャニング方向の伸びが吸収されるように取り付けられる。
【００２７】
ここで、スキャナは、通常、画像を読み取るべき原稿を載置する原稿台と、スキャナ開始位置からスキャナ終了位置に向かって移動しつつ、原稿台に載置された原稿の画像を読み取る原稿読取手段とを備える。そして、原稿読取手段は、画像読取時は低速でスキャニング終了位置に向かって移動し、画像読取が終了すると、高速でスキャニング開始位置に戻る。
【００２８】
したがって、原稿読取手段は、スキャニング開始位置に戻る際にスキャナの筐体に大きな衝撃を及ぼす。
【００２９】
しかしながら、前記スキャナ装置においては、スキャナは、スキャニング開始位置においてスキャナ取付部に固定されているから、前記衝撃によってスキャナの位置が狂うことを抑えることができる。
【００３０】
請求項７に記載の発明は、前記スキャナが、原稿を一定方向に送る原稿送り手段と前記原稿送り手段で送られる原稿の画像を読み取る画像読み取り手段とを備え、前記原稿送り手段は前記一端部に設けられてなる請求項５に記載のスキャナ装置に関する。
【００３１】
原稿送り手段を有するスキャナ装置においては、原稿送り手段において原稿を送る際に、スキャナから支持台に衝撃が及ぼされる。
【００３２】
しかしながら、前記スキャナ装置においては、前記原稿送り手段は、スキャナ取付部に固定された側に設けられているから、原稿送り手段からの衝撃によってスキャナの位置が狂うことを抑制できる。
【００３３】
請求項８に記載の発明は、前記スキャナが、画像を読み取るべき原稿を載置する原稿台を有し、前記原稿台に載置された原稿の画像を読み取るときは、前記画像読み取り手段は、スキャナ開始位置からスキャナ終了位置に向かって移動しつつ、原稿台に載置された原稿の画像を読み取る請求項７に記載のスキャナ装置に関する。
【００３４】
前記スキャナ装置は、原稿送り装置で原稿を送って画像を読み取るときは、画像読み取り手段を静止させて画像を読み取る。一方、前記原稿台に載置された原稿の画像を読み取るときは、前記画像読み取り手段を移動させて画像を読み取る。
【００３５】
請求項９に記載の発明は、前記原稿読取手段は光学部品を有するとともに、前記原稿読取手段がスキャナ開始位置からスキャナ終了位置に向かって移動するためのレールが前記スキャナの移動方向に沿って延在するとともに、前記スキャナの本体と一体的に設けられた樹脂からなる請求項８に記載のスキャナ装置に関する。
【００３６】
スキャナを移動可能とする方向とレールが延在する方向とを同一の方向としたので、レールのたわみまたはひずみを抑制させることができ、レールをスキャナの本体と一体的に設けた樹脂としても、原稿読取手段の振動および／または原稿読取手段の正規のスキャニング方向から外れた湾曲したスキャニングを抑制させることができる。
【００３７】
請求項１０に記載の発明は、前記レールが前記スキャナの本体と樹脂により一体成形されている請求項９に記載のスキャナ装置に関する。
【００３８】
前記スキャナ装置においては、請求項９の効果に加えて部品点数を削減し、生産工程を減らすことができるという効果を有する。
【００３９】
請求項１１に記載の発明は、前記レールが前記原稿読取手段のスキャニング方向と直交する両端部に設けられ、前記レールの一方側が前記スキャナの本体に両端部が支持された金属製の円柱体からなり、前記レールの他方側が前記スキャナの本体に一体的に設けられた樹脂からなる請求項９に記載のスキャナ装置に関する。
【００４０】
請求項９の効果に加え、スキャナのスキャニング方向と直交する方向に撓みまたは歪が生じても、原稿読取手段はスキャニング方向と直交する両端部でレールにより案内されるので、スキャニング方向と直交する方向の撓みまたは歪みの影響を軽減させることができる。また、レールの一方が金属製の円柱体からなるので、スキャニング方向およびスキャニング方向と直交する方向の何れの方向にも、撓みまたはひずみを抑えつつ、レールの他方の撓みまたはひずみに原稿読取手段を追従させ（原稿読取手段は円柱体の周方向に回動可能なので）、原稿読取手段に設けられた光学部品を歪ませることを防止できる。
【００４１】
請求項１２に記載の発明は、前記原稿読取手段は、前記一報側に当該読取手段をスキャニング奉公およびスキャニング方向とは反対の方向に移動させる移動手段が設けられ、前記他方側に前記樹脂からなるレール上を回転する回転体が設けられている請求項１１に記載のスキャナ装置に関する。
【００４２】
金属製の円柱体側に駆動手段を設けることで、原稿読取手段の移動を円滑にする。樹脂製のレール側にも回転体を設けることで、更に原稿読取手段の移動を円滑にする。
【００４３】
請求項１３に記載の発明は、請求項５〜１２の何れか１項に記載のスキャナ装置と、前記スキャナ装置の備えるスキャナからの画像信号に基づいて画像を形成する画像形成部とを備えてなることを特徴とする画像記録装置に関する。
【００４４】
前記画像記録装置は、請求項１〜４の何れか１項に記載の支持台と、前記支持台に取り付けられたスキャナと、前記スキャナからの画像信号に基づいて画像を形成する画像形成部とを有するから、スキャナが十分な剛性で支持台に取り付けられ、スキャナの振動を抑制できる。また、スキャナが熱膨張することによる画像のスキャニングの狂いも防止できるから、画像形成部においてより画質の高い画像を形成できる。
【００４５】
請求項１４に記載の発明は、前記画像形成部が電子写真式プリンタである請求項１３に記載の画像記録装置に関する。
【００４６】
請求項１５に記載の発明は、前記画像形成部がインクジェット式プリンタである請求項１３に記載の画像記録装置に関する。
【００４７】
これらの画像記録装置は、画像形成部として電子写真式またはインクジェット式のプリンタを用いた例である。
【発明の効果】
【００４８】
以上説明したように、本発明によれば、スキャナの熱膨張を吸収でき、熱膨張によるスキャナのスキャニング方向における変形を防止できる支持台、前記支持台にスキャナを載置したスキャナ装置、および前記スキャナ装置に画像記録装置に画像形成部を組み合わせた画像記録装置が提供される。
【発明を実施するための最良の形態】
【００４９】
１．実施形態１
以下、本発明に係る画像記録装置の一例であるデジタル複写機について図面を用いて説明する。
【００５０】
実施形態１に係るデジタル複写機２は、図１及び図２に示すように、スキャナ６と、スキャナ６を下方から取り付ける支持台４と、スキャナ６で読み取った画像を印字するプリンタ１０とから構成される。プリンタ１０は、本発明における画像形成部に相当する。
【００５１】
先ず、プリンタ１０について説明する。
【００５２】
図１に示すように、プリンタ１０は、フルカラーの印刷が可能なように、例えば、下からイエロー（Ｙ）、マゼンタ（Ｍ）、シアン（Ｃ）、ブラック（Ｋ）の順に鉛直方向に配設された現像ユニット１６Ｙ〜１６Ｋと、光学ユニット２４と、現像ユニット１６Ｙ〜１６Ｋを着脱可能に収容する本体フレーム１２と、本体フレーム１２に対し、開閉可能に設けられ、閉じたときは本体フレーム１２と一体の筐体を構成するカバー体１４とを備える。カバー体１４に、記録用紙Ｐを吸着搬送可能な搬送ベルト３４を備えた転写搬送ユニット１８が着脱可能に取り付けられている。
【００５３】
現像ユニット１６Ｙ〜１６Ｋは、夫々、画像データに基づいて光学ユニット２４によって表面が照射され、表面に静電電位の差による潜像が形成されるロール状の像担持体２０と、像担持体２０の表面を一様に帯電する帯電ローラー２２と、潜像にトナーを選択的に転移して可視化する現像ローラー２６と、トナー像が転写された後の像担持体２０に摺接し、その像担持体２０に残留するトナーをクリーニングするクリーニング部材２８とを備える。
【００５４】
像担持体２０は、表面に感光体層を有し、帯電ローラー２２によって、その表面が一様に帯電された後、光学ユニット２４から照射されるレーザ光（画像光）によって、その表面が露光され、その露光された部分の電位が減衰することにより静電潜像（画像）が形成される。なお、帯電ローラー２２は、像担持体２０に当接し、これらの間に電圧が印加され、当接部付近の微少間隙内で放電が生じることにより、像担持体２０の表面を略一様に帯電する。
【００５５】
光学ユニット２４は、点滅するレーザ光を像担持体２０の表面に走査させ、画像データに基づいた静電潜像を像担持体２０の表面上に形成する。なお、光学ユニット２４としては、他にＬＥＤ等の発光素子を配列し、これらを画像データに基づいて点滅させるものなどが考えられる。
【００５６】
現像ローラー２６は、像担持体２０と近接して対向するように配置され、この現像ローラー２６と像担持体２０との間に現像バイアス電圧が印加されるようになっている。これにより、現像ローラー２６と像担持体２０との間には現像バイアス電界が形成され、電荷を有するトナーが像担持体２０上の露光された部分に転移して可視像を形成する。
【００５７】
一方、転写搬送ユニット１８は、少なくとも駆動ローラー３０と従動ローラー３２に張架された搬送ベルト３４を備え、搬送ベルト３４の内面側で、駆動ローラー３０と従動ローラー３２の間の所定位置には、転写ローラー３６が所定間隔を隔ててＹ、Ｍ、Ｃ，Ｋの各色に対応して４個配設されている。
【００５８】
この転写ローラー３６は、カバー体１４を閉じたときに搬送ベルト３４を挟んで像担持体２０と対向するように配設され、像担持体２０との間に転写電界を形成することによって、搬送ベルト３４に吸着搬送されて通過する記録用紙Ｐ上に、像担持体２０表面のトナー像（未定着像）を転写させるようになっている。
【００５９】
現像ユニット１６Ｙ〜１６Ｋよりも記録用紙Ｐの搬送方向下流側、換言すれば本体フレーム１２の上部には、定着装置３８が配設されている。
【００６０】
定着装置３８は、互いの周面が対向して所定の圧力で圧接（ニップ）される加熱ローラー４０と加圧ローラー４２とを備え、加熱ローラー４０および加圧ローラー４２で記録用紙Ｐ上に転写された未定着のトナー像を加熱・加圧することにより、記録用紙Ｐにトナー像を定着する機能を有する。
【００６１】
なお、定着装置３８（加熱ローラー４０および加圧ローラー４２）によって加熱・加圧されてトナー像が定着された記録用紙Ｐは、排紙トレイ４４上へ排出される。そして、記録用紙Ｐへトナー像を転写終了後、像担持体２０の表面は、クリーニング部材２８によってクリーニング処理され、次回の作像処理に備えるようになっている。
【００６２】
また、本体フレーム１２の下部には、給紙カセット４６が着脱自在に装着されている。給紙カセット４６は、記録用紙Ｐが送り出される方向と逆方向に引き抜き可能となっており、適宜記録用紙Ｐを給紙できるようになっている。
【００６３】
給紙カセット４６の先端部近傍には、給紙カセット４６内から記録用紙Ｐを１枚ずつ送り出す給紙ローラー対４８が設けられており、給紙ローラー対４８から送り出された記録用紙Ｐは、レジストローラー対４９によって、所定のタイミングで搬送ベルト３４の吸着搬送面へ送り出され、各色のトナー像の転写位置へ搬送される。
【００６４】
プリンタ１０においては、現像ユニット１６Ｙ〜１６Ｋの像担持体２０Ｙ〜２０Ｋが設けられた側に隣接して転写搬送ユニット１８が設けられている。転写搬送ユニット１８は、上端部に回転可能に軸支された駆動ローラー３０と、下端部に回転可能に軸支された従動ローラー３２と、駆動ローラー３０および従動ローラー３２に巻回・張架され、記録用紙Ｐを静電吸着可能な搬送ベルト３４とを備える。そして、駆動ローラー３０と従動ローラー３２の間における搬送ベルト３４の内面側には、所定間隔を隔ててＹ〜Ｋの各色毎に転写ローラー３６Ｙ〜３６Ｋが軸支されている。各転写ローラー３６Ｙ〜３６Ｋは、搬送ベルト３４を挟んで、各像担持体２０Ｙ〜２０Ｋに所定の圧力で圧接され、搬送ベルト３４の走行に追従して回転する。
【００６５】
プリンタ１０は、更に、図１及び図２に示すように、現像ユニット１６Ｙ〜１６Ｋ、転写搬送ユニット１８、光学ユニット２４、定着装置３８等を制御、統制するプリンタ制御基板５０、プリンタ１０とスキャナ６との間で画像信号を授受するとともに、スキャナ６を制御するスキャナ制御基板５１、および電源基板５２が設けられている。
【００６６】
次に、支持台４およびスキャナ６について説明する。
【００６７】
支持台４は、図１及び図２に示すように、プリンタ１０に隣接して設けられ、スキャナ６が取り付けられる１対のスキャナ取付部１００と、スキャナ取付部１００を連結する４本の水平梁１０２とを有する。
【００６８】
スキャナ取付部１００は、プリンタ１０に沿って立設された支柱１０６と、支柱１０６の頂部からプリンタ１０の排紙トレイ４４上向かって水平方向に延在するアーム状部１０４とを備える。アーム状部１０４は、図３、図５、図６に示すように下方が開いたチャンネル材である。スキャナ６は、２本のアーム状部１０４とアーム状部１０４を接続する２本の水平梁１０２とによって形成される枠体に載置される。
【００６９】
スキャナ６は、図２、図７、及び図８に示すように、画像を読み取るべき原稿が載置される原稿台６２と、原稿台６２の内部に設けられた１対のレール６３に沿って矢印ａの方向に移動して画像を読み取る原稿読み取り手段である画像読取キャリッジ６０と、原稿送り手段に相当し、原稿台６２上に開閉可能に載置された原稿送り装置６４と、原稿送り装置６４に送る原稿を載置する原稿台６６とを備える。
【００７０】
原稿台６２は、図７及び図８に示すように、底を形成する底板６２Ａと、底板６２Ａに被せられた筐体６２Ｂとを備える。底板６２Ａおよび筐体６２Ｂは合成樹脂の射出成型によって形成されている。底板６２Ａには、補強のためのリブ６２Ｄが設けられている。リブ６２Ｄは、画像読取キャリッジ６０の移動方向ａに対して平行な方向と直角な方向とに沿って設けられている。底板６２Ａには、また１対の樹脂製のレール６３Ｂが形成されているとともに、金属製の円柱体からなるシャフト状のレール６３Ａが１対の支持部６３Ｃを介して設けられている。支持部６３Ｃは、底板６２Ａと一体に形成されてもよく、別部品を底板６２Ａに取り付けて一体的に形成されてもよい。レール６３Ａは、支持部６３Ｃの孔に嵌遊され、底板６２Ａが熱膨張すると支持部６３Ｃがレール６３Ａの長手方向に移動する。
【００７１】
また、底板６２Ａには、レール６３Ａに沿って駆動ベルト６７が設けられている。駆動ベルト６７はステッピングモータ（図示せず。）によって回転する。画像読取キャリッジ６０の下面に駆動ベルト６７の一部が固定されている。画像読取キャリッジ６０は、駆動ベルト６７を一の方向に回転させることによりスキャニング方向に移動し、他の方向に回転させることによりスキャニング方向とは反対の方向に移動する。
【００７２】
更に、画像読取キャリッジ６０の下面にはコロが設けられ、前記コロがレール６３Ｂ上を転動することにより、画像読取キャリッジ６０はスムースに移動する。
【００７３】
底板６２Ａの下面には、スキャナ６をアーム状部１０４に取り付ける取付ステイ６１Ａおよび取付ステイ６１Ｂが固定されている。取付ステイ６１Ａは、底板６２Ａのスキャニング開始側の端部に、取付ステイ６１Ｂは、底板６２Ａのスキャニング終了側の端部に固定されている。
【００７４】
原稿台６２における筐体６２Ｂの上面にはガラス窓６２Ｃ、６２Ｅが設けられ、原稿台６２に載置された原稿は、ガラス窓６２Ｃを通して画像読取キャリッジ６０によって読み取られ、原稿送り装置６４で送られた原稿は、ガラス窓６２Ｅを通して画像読取キャリッジ６０によって読み取られる。原稿台６２に載置された原稿の画像を読み取るときの画像読取キャリッジ６０の移動方向ａは、スキャナ６のスキャニング方向である。原稿送り装置６４で原稿を送りながら読み取るときは、画像読取キャリッジ６０は、図４に示すように停止させた状態で読み取りを行う。
【００７５】
図３に示すように、取付ステイ６１Ａは、螺子７０によって一対のアーム状部１０４の一方の上面に固定されている。これにより、スキャナ６のスキャニング開始側の端部が取付ステイ６１Ａを介してアーム状部１０４に固定される。取付ステイ６１Ａ、螺子７０、前記一方のアーム状部１０４は、本発明におけるスキャナ固定手段に相当する。
【００７６】
一方、取付ステイ６１Ｂは、図３および図４に示すように、他方のアーム状部１０４と調整板８０との間に挟み込むようにして取り付けられている。
【００７７】
図４に示すように、取付ステイ６１Ｂが取り付けられる側のアーム状部１０４には、胴付螺子７２の螺子部７２Ｂが螺合する１対の螺子孔１０４Ａと、螺子孔１０４Ａの内側に位置する透孔１０４Ｂとが形成されている。取付ステイ６１Ｂには、胴付螺子７２が挿通される１対の透孔６１Ｃと、透孔６１Ｃの内側に位置する１対の螺子孔６１Ｄとが形成されている。透孔６１Ｃは、胴付螺子７２の胴部７２Ａの外径よりも大きな内径を有している。調整板８０には、胴付螺子７２が挿通される１対の横長の透孔８２と、透孔８２の内側に位置し、螺子７４が挿通される１対の縦長の透孔８４とが形成されている。前記他方のアーム状部１０４と取り付けステイ６１Ｂと調整板８０と胴付螺子７２と螺子７４とは本発明におけるスキャナ取付手段に相当する。
【００７８】
取付ステイ６１Ｂの螺子孔６１Ｄには螺子７４が螺合し、調整板８０は螺子７４によって取付ステイ６１Ｂに固定される。調整板８０が取付ステイ６１Ｂに固定されると、螺子７４は取付ステイ６１Ｂからアーム状部１０４に向かって突出し、透孔１０４Ｂに挿通される。なお、透孔１０４Ｂは螺子７４の外径よりも大きな内径を有している。ここで、螺子７４が挿通される透孔８４は前述のように縦長であるから、螺子７４を緩めた状態においては、取付ステイ６１Ｂと調整板８０との相対的な高さを調節できる。
【００７９】
調整板８０は取付ステイ６１Ｂとともに胴付螺子７２でアーム状部１０４に取り付けられる。なお、図３において（Ｂ）に示すように、胴付螺子７２の胴部７２Ａの長さは取付ステイ６１Ｂおよび調整板８０の板厚の合計よりも大きい。
【００８０】
取付ステイ６１Ｂをアーム状部１０４に固定する手順は以下の通りである。
【００８１】
先ず、取付ステイ６１Ｂをアーム状部１０４と調整板８０とで挟み、螺子７４を取付ステイ６１Ｂの螺子孔６１Ｄに螺合させ、同時に胴付螺子７２の螺子部７２Ｂをアーム状部１０４の螺子孔１０４Ａに螺合させる。
【００８２】
次に、取付ステイ６１Ｂを上下させてアーム状部１０４に対するスキャナ６の高さを調節する。
【００８３】
スキャナ６の高さが決まったら、螺子７４を締めて調整板８０と取付ステイ６１Ｂとを固定すると同時に、胴付螺子７２を締めて取付ステイ６１Ｂをアーム状部１０４に対して高さ方向に固定する。
【００８４】
ここで、前述のように胴付螺子７２の胴部７２Ａの長さは取付ステイ６１Ｂおよび調整板８０の板厚の合計よりも大きいから、図３に示すように、胴付螺子７２を締めた状態においても調整板８０と胴付螺子７２の頭部との間には隙間が空いている。したがって、スキャナ６のスキャニング方向には遊びがあるから、スキャナ６が使用時の熱で熱膨張しても、スキャニング方向の伸びは前記遊びによって吸収される。
【００８５】
なお、原稿台６２の底板６２Ａに取付ステイ６１Ａおよび取付ステイ６１Ａを立設する代わりに、図５に示すように底板６２Ａに直接螺子孔を開け、アーム状部１０４の下方から螺子７０で固定してもよい。但し、スキャナ６のスキャニング終了側の端部を支持する側のアーム状部１０４においては、図５において（Ｂ）に示すように、螺子７０が挿通される挿通孔１０５はスキャニング方向に沿った長孔である。これにより、スキャニング方向に沿って遊びが生じるから、スキャナ６が使用時の熱で熱膨張しても、スキャニング方向の伸びは前記遊びによって吸収される。
【００８６】
また、図６に示すように、原稿台６２の底板６２Ａにおけるスキャニング終了側の端部に、スキャニング方向に沿って延在する引掛け部材６５を立設し、図６において（Ｂ）に示すように、スキャナ６のスキャニング終了側の端部を支持する側のアーム状部１０４に穿設された挿入孔１０７に引掛け部材６５を挿入し、アーム状部１０４に引掛けてもよい。ここで、挿入孔１０７もまた、スキャニング方向に沿った長孔であるから、引掛け部材６５とアーム状部１０４との間にはスキャニング方向に沿って遊びが生じる。したがって、スキャナ６が使用時の熱で熱膨張しても、スキャニング方向の伸びは前記遊びによって吸収される。
【００８７】
以下、デジタル複写機２の作用について説明する。
【００８８】
スキャナ６で原稿が読み取られると、画像データは、スキャナ６からスキャナ制御基板５１を介してプリンタ１０におけるプリンタ制御基板５０に入力される。プリンタ制御基板５０は、入力された画像データに基づいて現像ユニット１６Ｙ〜１６Ｋ、転写搬送ユニット１８、光学ユニット２４、定着装置３８等を制御、統制し、以下の手順によって記録用紙Ｐにトナー画像を形成する。
【００８９】
先ず、給紙ローラー対４８により、給紙カセット４６内から１枚ずつ記録用紙Ｐが取り出され、レジストローラー対４９によって所定のタイミングで搬送ベルト３４上に送られる。搬送ベルト３４上に送られた記録用紙Ｐは、その搬送ベルト３４によって静電吸着され、各色の像担持体２０Ｙ〜２０Ｋへ搬送される。
【００９０】
一方、現像ユニット１６では、まず、帯電ローラー２２によって像担持体２０の表面が一様に帯電される。そして、光学ユニット２４からレーザ光（画像光）が像担持体２０の表面に走査され、画像データに基づいた静電潜像が像担持体２０の表面上に形成される。その後、現像ローラー２６によってトナーが像担持体２０上に転移され、その像担持体２０の表面に可視像が形成される。
【００９１】
こうして、像担持体２０の表面に可視像が形成されたら、搬送ベルト３４に吸着搬送されて通過する記録用紙Ｐ上に、像担持体２０表面のトナー像（未定着像）が、像担持体２０と転写ローラー３６によって転写される。これをイエロー（Ｙ）、マゼンタ（Ｍ）、シアン（Ｃ）、ブラック（Ｋ）の順に行い、記録用紙Ｐ上にフルカラーのトナー像（未定着像）が転写されたら、記録用紙Ｐは、搬送ベルト３４によって定着装置３８へ搬送される。
【００９２】
定着装置３８に搬送された記録用紙Ｐは、加熱ローラー４０及び加圧ローラー４２によって、それに転写されている未定着のトナー像が加熱・加圧されて定着される。そして、定着装置３８によってトナー像が定着された記録用紙Ｐは、排紙トレイ４４上へ排出される。なお、記録用紙Ｐへのトナー像の転写終了後、像担持体２０の表面は、クリーニング部材２８によってクリーニング処理され、次の作像処理に備える。
【００９３】
このように、スキャナ６およびプリンタ１０が動作すると、プリンタ１０だけでなく、スキャナ６においても大量の熱が発生するが、前述のように、スキャナ６のスキャニング終了側の取付部分にはスキャニング方向ａに沿った遊びがあるから、スキャナ６が熱膨張してもスキャニング方向の伸びは前記遊びによって吸収される。したがって、スキャナ６の底板６２Ａが熱膨張によって上方に反ってレール６３Ｂが歪み、画像読取キャリッジ６０が正しくスキャニングされなくなることが防止される。
【００９４】
また、スキャナ６は、スキャニング開始側の端部において支持台４に固定されているから、画像読取キャリッジ６０がスキャニング開始位置に戻るときの衝撃でスキャナ６の支持台４に対する相対位置がずれたり、取付部分が破損したりすることがない。また、前記スキャニング開始側の端部は、原稿送り装置６４が設けられた側の端部でもあるから、原稿送り装置６４で原稿を送りながら画像を読み取る場合においても、原稿送り装置６４からの衝撃でスキャナ６の位置が狂うことがない。
【００９５】
更に、取付部分が図３及び図４に示す形態であれば、スキャナ６の側面から螺子７０、胴付螺子７２、および螺子７４を締めることができるから、作業性にも優れている。
【００９６】
以上、プリンタ１０が電子写真式である例について説明したが、プリンタ１０は、インクジェット式プリンタであってもよい。
【産業上の利用可能性】
【００９７】
本発明は、電子写真式プリンタを有する画像記録装置だけでなく、インクジェット式プリンタを有する画像記録装置についても適用できる。
【図面の簡単な説明】
【００９８】
【図１】図１は、実施形態１に係るデジタル複写機の全体的な構成を示す概略側面図である。
【図２】図２は、実施形態１に係るデジタル複写機を構成するスキャナ、支持台、およびプリンタの相対的な位置関係を示す部分分解図である。
【図３】図３は、実施形態１に係るデジタル複写機におけるスキャナ取付部分の一例について構成を示す拡大図である。
【図４】図４は、図３に示すスキャナ取付部分の構成の詳細を示す分解斜視図である。
【図５】図５は、実施形態１に係るデジタル複写機におけるスキャナ取付部分の別の例について構成を示す拡大図である。
【図６】図３は、実施形態１に係るデジタル複写機におけるスキャナ取付部分の別の例について構成を示す拡大図である。
【図７】図７は、実施形態１に係るデジタル複写機が備えるスキャナの原稿台の部分の構成の詳細を示す斜視図である。
【図８】図８は、実施形態１に係るデジタル複写機が備えるスキャナの原稿台の底板の部分の構成を示す斜視図である。
【符号の説明】
【００９９】
４    支持台
６    スキャナ
１０    プリンタ
６０    画像読取キャリッジ
６１Ａ  取付ステイ
６１Ｂ  取付ステイ
６１Ｃ  透孔
６１Ｄ  螺子孔
６２    原稿台
６２Ａ  底板
６２Ｂ  筐体
６２Ｃ  ガラス窓
６２Ｄ  リブ
６２Ｅ  ガラス窓
６３Ａ  レール
６３Ｂ  レール
６４    原稿送り装置
６５    引掛け部材部材
６６    原稿台
７０    螺子
７２    胴付螺子
７２Ａ  胴部
７２    螺子
７２Ｂ  螺子部
７４    螺子
８０    調整板
８２    透孔
８４    透孔
１００    スキャナ取付部
１０２    水平梁
１０４    アーム状部
１０４Ｂ  透孔
１０４Ａ  螺子孔
１０５    挿通孔
１０６    支柱
１０７    挿入孔
【図１】
0004752625.tif 000002
【図２】
0004752625.tif 000003
【図３】
0004752625.tif 000004
【図４】
0004752625.tif 000005
【図５】
0004752625.tif 000006
【図６】
0004752625.tif 000007
【図７】
0004752625.tif 000008
【図８】
0004752625.tif 000009